(57)【要約】【課題】シガレットのような細長い喫煙物品のための容器として特定用途を見出す新しいヒンジ式蓋の容器を提供する。【解決手段】前壁と、後壁と、それらの間に延びる対向する側壁とを有する喫煙物品のための容器（３０）（５０）は、箱部分（３２）（５２）と、ヒンジ線の周りにヒンジ止めされた蓋部分（３４）（５４）とを含む。容器の各側壁において、蓋部分（３４）（５４）の側壁（３８ａ）（５８ａ）の前縁とその下縁の間の角度φは、側壁の後縁と、ヒンジ線が側壁と交わる第１のポイント（Ａ）及び箱部分（３２）（５２）の前壁（３６）（５６）の上縁が側壁と交わる第２のポイント（Ｂ）の間に延びる直線との間に形成される角度θよりも大きい。容器（３０）（５０）が閉じている時に、蓋部分（３４）（５４）の自由縁は、ポイントＡ及びＢの間の当接線が第１の直線部分（４２）（７２）と第２の直線部分（４４）（７４）を含むように箱部分（３２）（５２）の自由縁に当接する。【選択図】図１
2014198607.tif 000002
【特許請求の範囲】
【請求項１】
前壁、後壁、及びそれらの間に延びる対向する側壁を有する容器（３０）（５０）であって、
箱部分（３２）（５２）と、
容器（３０）（５０）の後壁にわたって延びるヒンジ線に沿って前記箱部分（３２）（５２）にヒンジ止めされた蓋部分（３４）（５４）と、
を含み、
容器の各側壁において、前記蓋部分（３４）（５４）の前記側壁（３８ａ）（５８ａ）の前縁とその下縁の間の角度φが、該側壁の後縁と、前記ヒンジ線が該側壁と交わる第１のポイント（Ａ）及び前記箱部分（３２）（５２）の前壁（３６）（５６）の上縁が該側壁と交わるポイント（Ｂ）の間に延びる直線との間に形成される角度θよりも大きく、
容器（３０）（５０）が閉じている時に、前記蓋部分（３４）（５４）の自由縁は、前記第１のポイントＡ及び前記第２のポイントＢの間に延びる当接線が、前記側壁の前記前縁及び前記対向する後縁の間に延びる第１の直線部分（４２）（７２）と、前記第２のポイントＢから該第１の直線部分（４２）（７２）が容器（３０）（５０）の前壁と交わるポイントまで容器（３０）（５０）の該側壁の該前縁に沿って延びる第２の直線部分（４４）（７４）とを含むように、前記箱部分（３２）（５２）の自由縁に当接する、
ことを特徴とする容器（３０）（５０）。
【請求項２】
前記角度φは、前記角度θよりも少なくとも１０度大きいことを特徴とする請求項１に記載の容器（３０）（５０）。
【請求項３】
前記角度θは、３５度と６０度の間であることを特徴とする請求項１又は請求項２に記載の容器（３０）（５０）。
【請求項４】
前記当接線は、容器の前記側壁の前記後縁に沿って前記第１のポイントＡから前記第１の直線部分（７２）が容器（５０）の前記後壁に交わるポイントまで延びる第３の直線部分（７６）を更に含むことを特徴とする請求項１に記載の容器（５０）。
【請求項５】
前記箱部分（３２）（５２）の前記前壁（３６）（５６）の長さに対する前記蓋部分（３４）（５４）の前記前壁（３６ａ）（５６ａ）の長さの比が、３５：６５よりも大きいことを特徴とする請求項１から請求項４のいずれか１項に記載の容器（３０）（５０）。
【請求項６】
容器の各側壁が、内側壁及び外側壁で形成され、
前記第１のポイントＡ及び前記第２のポイントＢの間で前記内側壁に沿って延びる当接線が、前記外側壁に沿って延びる当接線とは異なっている、
ことを特徴とする請求項１から請求項５のいずれか１項に記載の容器（５０）。
【発明の詳細な説明】
【技術分野】
【０００１】
本発明は、シガレットのような細長い喫煙物品のための容器として特定用途を見出す新しいヒンジ式蓋の容器に関する。
【背景技術】
【０００２】
細長い喫煙物品及び他の消費財を折り畳んだ積層ブランク材で形成した容器に入れて包装することは公知である。シガレット及びシガーのような細長い喫煙物品は、一般的に、喫煙物品を収容するための箱部分と、容器の後壁にわたって延びるヒンジ線の回りに箱部分に接続された蓋部分とを有するヒンジ式蓋パックに入れて販売される。そのようなパックは、典型的には、単体の積層厚紙ブランク材で構成される。使用中に、蓋部分がヒンジ線の回りにピボット回転して容器を開き、従って、箱部分に保持された喫煙物品へのアクセスが得られる。
【０００３】
消費者に対して情報を伝えるために、典型的には、消費財のためのパッケージの外部にグラフィック及びテキストが付加される。しかし、標準的なヒンジ式蓋シガレットパックは、比較的サイズが小さいので、そのような情報を表示するためには限定された可視外部表面積しかない。情報を印刷することができる付加的な表面を設けてヒンジ式蓋シガレットパック上で消費者に伝えられる情報量を増すように製造者が試みることは公知である。例えば、容器内に付加的なパネル又はクーポンを組み込むことによってこれが行われている。そのようなパネル及びクーポンは、容器と一体にするか、又は代替的に容器内に別々に組み込むことができる。
印し及びグラフィックを印刷するための内部表面積を増大した喫煙物品のためのヒンジ式蓋パックを提供することも提案されている。例えば、ＷＯ−Ａ−０３／０７８２７４は、内側フレームの手段により、及び代替的に又は追加的に蓋の前壁の内向きの面の手段により内部表面積を増大した喫煙物品のためのヒンジ式蓋パックを開示している。
【先行技術文献】
【特許文献】
【０００４】
【特許文献１】ＷＯ−Ａ−０３／０７８２７４
【発明の概要】
【発明が解決しようとする課題】
【０００５】
容器の全体サイズを実質的に大きくせず、又はそれを製造するのに必要な材料の量を増加させないで、消費者情報を表示するための通常のヒンジ式蓋シガレットパックよりも大きな内部表面積を有する喫煙物品のためのヒンジ式蓋パックの容器を提供することが望ましいであろう。更に、容器の蓋部分に消費者情報を表示するためにより大きな連続空間を有する喫煙物品のためのヒンジ式蓋パックを提供することが望ましいと考えられる。また、容器の強度又は剛性を損なうことなくそのようなヒンジ式蓋パックを提供することも望ましいであろう。
更に、より大きな内部表面積を有するが、既存の包装機械に対する修正が最小限で又は全くなしで生産することができる新しいヒンジ式蓋の容器を提供することが望ましいと考えられる。
【課題を解決するための手段】
【０００６】
本発明により、前壁と、後壁と、その間に延びて対向する側壁とを有する容器を提供し、容器は、箱部分と、容器の後壁にわたって延びるヒンジ線に沿って箱部分にヒンジ止めされた蓋部分とを含み、容器の各側壁において、蓋部分の側壁の前縁とその下縁の間の角度φは、側壁の後縁と、ヒンジ線が側壁と交わる第１のポイント（ポイントＡ）と箱部分の前壁の上縁が側壁と交わる第２のポイント（ポイントＢ）の間に延びる直線との間に形成される鋭角θよりも大きい。容器が閉じている時に、蓋部分の自由縁は、第１のポイントＡと第２のポイントＢの間に延びる当接線が、側壁の前縁と対向する後縁との間に延びる第１の直線部分と、第２のポイントＢから第１の直線部分が容器の前壁に交わるポイントまで容器の側壁の前縁に沿って延びる第２の直線部分とを含むように、箱部分の自由縁に当接する。
【０００７】
本発明による容器は、シガレットのような喫煙物品のためのパックとして特定の用途を見出す。
好ましくは、角度φは、角度θよりも少なくとも１０度、より好ましくは少なくとも１５度大きい。好ましくは、角度φは、４５度と９０度の間であり、より好ましくは６０度と９０度の間である。
好ましくは、角度θは、６０度よりも小さく、より好ましくは３５度と６０度の間であり、特に好ましくは３５度と４５度の間である。
【０００８】
用語「前部」、「後部」、「上部」、「下部」、「側部」、及び本発明による容器の構成要素の相対位置を説明する他の用語は、直立した位置にある容器を意味する。直立した位置にある容器が開くと、箱部分に収容された喫煙物品は、容器の上端から取り出すことができる。
用語「ヒンジ線」は、容器を開くために蓋部分がそれに沿ってピボット回転することができる線を意味する。ヒンジ線は、例えば、容器の後壁を形成するパネル内の折り畳み線又は切り込み線とすることができる。代替的に、ヒンジ線は、蓋部分の後壁を箱部分の後壁に接続する一片の材料内の折り畳み線又は切り込み線とすることができる。そのような一片の材料は、例えば、蓋部分の後壁及び箱部分の後壁に恒久的に又は取外し可能に取り付けられるラベルとすることができる。好ましくは、ヒンジ線は、容器の後壁又は側壁に沿ってその上縁の下のレベルに位置決めされる。
用語「直線」は、本明細書では実質的に真っ直ぐな線を説明するのに使用される。
【０００９】
典型的には、標準的なヒンジ式蓋シガレットパックでは、ポイントＡとポイントＢの間に延びる直線は、先に規定したように、蓋部分の側壁の下縁がそれに沿って箱部分の側壁の上縁に当接する容器の側壁内の当接の直線に一致する。従って、当接線はまた、容器の側壁の後縁に対して角度θにある。典型的なヒンジ式蓋シガレットパックでは、角度θは約６０度である。
本明細書を通して、用語「当接線」は、それに沿って本発明による容器の蓋部分の壁の自由縁が、容器が閉じている時に箱部分の壁の自由縁に当接する線を説明するのに使用される。
【００１０】
典型的なヒンジ式蓋シガレットパックでは、角度θ及び角度φは、実質的に互いに同じであり、両方とも約６０度である。対照的に、本発明による容器では、角度φは、角度θよりも大きく、好ましくは少なくとも１０度だけ大きい。これらの角度の差は、ポイントＡとポイントＢの間に第１及び第２の直線部分を有し、第１及び第２の直線部分が互いに別の角度で延びる当接線の提供を通じて達成される。当接線は、以下に説明するように、１つ又はそれよりも多くの付加的な直線部分を含むことができる。例えば、本発明の特定的な実施形態では、当接線は、第１のポイントＡから容器の側壁の後縁に沿って延びる第３の直線部分を更に含むことができる。
【００１１】
好ましくは、本発明による容器の角度θは、６０度よりも小さく、その結果、標準的なヒンジ式蓋パックの角度よりも小さい。本発明による容器の角度θを６０度よりも小さくすることにより、ヒンジ式蓋シガレットパックで一般的に提供されるよりも長い前壁を有する蓋部分を含む容器を得ることが可能になる。前壁の「長さ」は、容器が直立して閉じた位置にある時に壁の垂直高さであると見なされる。
【００１２】
本発明による容器の外部表面積は、典型的なヒンジ式蓋シガレットパックの外部表面積よりも必ずしも大きくする必要がない場合がある。しかし、本発明による容器の蓋部分の前壁の表面積は、典型的なヒンジ式蓋シガレットパックの場合よりも大きい。従って、蓋部分が開いた時に消費者にはより大きな内部表面積が見えるようになる。この内部表面積は、例えば、内側フレーム（もしあれば）の表面、容器内の喫煙物品のいずれか他の包装の表面、及び蓋部分の内面を含む。消費者のための付加的な情報は、蓋が開いた時に見えるようになるこの付加的な内部表面積上に提供することができる。更に、蓋部分の前面の表面積は、標準のヒンジ式蓋パックの表面積よりも大きい。従って、消費者情報のためのより大きな連続空間が蓋部分上に提供される。
好ましくは、本発明による容器では、箱部分の前壁の長さに対する蓋部分の前壁の長さの比は、典型的なヒンジ式蓋シガレットパックのこれらの長さの比である３５対６５を超える。
【００１３】
本発明による容器の可視内部表面積を増すために角度θを最大にすることが望ましい場合があるが、角度φをできるだけ高角度にすることも好ましい。これは、角度φが大きければ大きいほど、蓋部分の側壁の下部部分がより強くより長持ちするようになるためである。更に、角度φが大きければ大きいほど、蓋部分の下部区画がより強固になる。
容器の側壁にわたって延びる当接線と容器の箱部分の側壁の後縁との間に形成される角度αも、最大にすることが特に好ましい。角度αを大きくすることにより、角度φに関連して上述した箱部分の側壁の上部部分に対する強度及び耐久性も得られる。ポイントＡとポイントＢ間の当接線の形状に応じて、角度αを角度φと同じにするか又は異なるようにすることができる。
【００１４】
本発明は、ポイントＡとポイントＢの間の当接線の形状が、角度θが比較的低く保たれる一方で角度φ及びαが公知のヒンジ式蓋パックにおける対応する角度と類似か又はそれよりも大きくなるように変動する容器を提供することができる。従って、より大きな内部表面積を得るために本発明による容器の強度及び剛性が損なわれないで済む。
必要に応じて、第１の直線部分が第２の直線部分と交わるコーナは、傾斜付きとするか又は丸形とすることができる。
【００１５】
好ましくは、容器の各側壁は、内側壁及び重なっている外側壁で形成される。ポイントＡとポイントＢの間の内側壁に沿って延びる当接線は、外側壁に沿って延びる当接線と同じにするか又は異なるようにすることができる。好ましくは、ポイントＡとポイントＢの間で内側壁に沿って延びる当接線は、外側壁に沿って延びる当接線と同じ形状であるが、そこから垂直方向にオフセットしている。垂直方向のオフセットは、有利な態様では、箱部分の後壁及び蓋部分の前壁を強化するために利用することができる。
【００１６】
蓋部分の前壁の下縁と箱部分の前壁の上縁の間の当接線は、好ましくは直線であり、実質的には水平線である。箱部分の前壁は、下にある内側包装を露出させるためにその上縁に切り欠きを含むことができる。代替的に又は追加的に、蓋部分の前壁は、その下縁に切り欠きを含むことができる。切り欠きが設けられると、典型的には蓋部分の下縁の当接がなくなり、それによって箱部分の上縁と当接線とが壊れることになる。切り欠きを設けると、消費者が蓋部分を開くのを助けることができる。
【００１７】
好ましくは、容器は、箱部分内に設けられた内側フレームを更に含み、内側フレームは、容器の箱部分の少なくとも前壁の上縁の上方に延びている。内側フレームは、従って、蓋部分が開いている時に消費者に見える。内側フレームの前壁には箱部分の前壁に印刷した印しと同じか又は異なる印しを印刷することができる。代替的に又は追加的に、内側フレームの前壁は、例えば、消費財の銘柄を反映するように独特の形状に切断することができる。
好ましくは、内側フレームの前壁にはその上縁に切り欠き部分が設けられる。それによって内側フレームの前壁の表面積を極端に低減することなく容器内の消費財により便利にアクセスすることが可能になる。
【００１８】
代替的に又は内側フレームに追加して、容器内の喫煙物品は、容器が開いている時に箱部分の前壁の上縁及び内側フレーム（もしあれば）の前壁の上方に見える印刷した包装紙で包むことができる。
有利な態様においては、蓋部分の異なる長さの前壁を考慮するために少しだけ修正した既存の機械を使用して本発明による容器を生産することができる。標準のヒンジ式蓋パックに対して異なる位置にある必要がある折り目だけが、蓋位置の前面の下縁に沿うものである。
【００１９】
本発明による容器は、直角縦方向及び直角横方向縁部を含む実質的に直方体の形状とすることができる。代替的に、本発明による容器の箱部分又は蓋部分又は箱部分及び蓋部分の両方は、１つ又はそれよりも多くの丸形縦方向縁部、丸形横方向縁部、傾斜付き縦方向縁部、又は傾斜付き横方向縁部、又はその組合せを含むことができる。例えば、容器の箱部分及び蓋部分が組み立てられる積層ブランク材に公知の方法で切り込みを入れることにより、本発明によるシガレット又は他の喫煙物品の「丸形コーナ」パックを生産することができる。
容器は、以下に限定されるものではないが、厚紙、板紙、プラスチック、金属、又はその組合せを含むあらゆる適切な材料で形成することができる。容器は、好ましくは単一の折り畳んだ積層ブランク材、より好ましくは折り畳んだ積層厚紙ブランク材で形成される。好ましくは、厚紙は、平方メートルあたり約１００グラムと平方メートルあたり約３５０グラムの間の重量を有する。
【００２０】
本発明による容器は、例えば、シガレット、シガー、又はシガリロのような細長い喫煙物品のためのパックとしての特定用途を見出す。寸法の適切な選択により、異なる数の従来サイズ、キングサイズ、スーパーキングサイズ、スリム、又はスーパースリムのシガレットのために本発明による容器を設計することができることは認められるであろう。
寸法の適切な選択により、本発明による容器はまた、異なる総数の喫煙物品、又は異なる配列の喫煙物品を保持するように設計することができる。例えば、寸法の適切な選択により、本発明による容器はまた、全部で１０、１５、１６、１７、１８、１９、２０、２１、又は２５の喫煙物品を保持するように設計することができる。これらは、喫煙物品の総数に応じて異なる丁合で配列することができる。例えば、喫煙物品は、６、７、８、９、又は１０の１列に、５、６、７、８、９、又は１０の２列に、５−６、６−７、７−８の２列に、５−５−５、５−６−５、６−５−６、５−６−７、６−７−６、７−５−７、７−６−７、７−７−７、８−９−８の３列に、４、５、又は６の４列に配列することができる。
【００２１】
本発明による容器の長さ、幅、及び深さは、閉じた位置で得られる容器の全体寸法が２０シガレットの典型的な使い捨てヒンジ式蓋パックの寸法とほぼ同じになるようにすることができる。
本発明による容器の外面は、製造業者名又は銘柄ロゴ、商標、スローガン、及び他の消費者情報及び印しで印刷、エンボス、デボス、又はその他の方法で装飾することができる。
本発明による容器の箱部分が、シガレット又は他の細長い喫煙物品の束を収容する場合、喫煙物品は、好ましくは、例えば、金属泊又は金属化紙の内側ライナに包まれる。
【００２２】
充填された状態で、本発明による容器は、例えば、従来の方法でポリエチレン又はポリプロピレンのような透明なポリマーフィルムを用いて収縮包装又はその他の方法で上包装することができる。本発明による容器が上包装される場合には、上包装は、開封テープを含むことができる。開封テープは、好ましくは、開封テープが取り除かれた状態で蓋部分がヒンジ線に沿って自由に回転するように、蓋部分の前壁の下縁の下の容器の周りに位置決めされる。代替的に、開封テープは、容器の周りに長さ方向に設けることができる。
図面を参照して本発明を単に一例として以下に更に説明する。
【図面の簡単な説明】
【００２３】
【図１】本発明の第１の実施形態による開いたヒンジ式蓋の容器の正面斜視図である。
【図１ａ】ＡとＢの間の当接線を太線で示し、縮尺に従っていない、角度θ、φ、及びαを示す図１の容器の概略部分側部図である。
【図２】本発明の第２の実施形態による開いたヒンジ式蓋の容器の正面斜視図である。
【図２ａ】ＡとＢの間の当接線を太線で示し、縮尺に従っていない、角度θ、φ、及びαを示す図２の容器の概略部分側部図である。
【発明を実施するための形態】
【００２４】
図１に示すヒンジ式蓋の容器３０は、直方体であり、下部箱部分３２と、容器の後壁に沿って実質的に水平に延びるヒンジ線に沿って下部箱部分３２にヒンジ止めされた上部蓋部分３４とを含む。ヒンジ線のレベルは、ポイント「Ａ」で図２に表示されている。
箱部分３２は、前壁３６、左側壁３８、右側壁、後壁、及び底壁を有する。箱部分の側壁は、側壁の上部自由縁が前壁の上部自由縁からオフセットされるように前壁の上方に延びている。
【００２５】
蓋部分は、前壁３６ａ、左側壁３８ａ、右側壁、後壁、及び上壁を有する。蓋部分３４の前壁３６ａは、前壁３６ａの下縁が側壁３８ａの下縁からオフセットされるように側壁３８ａを超えて延びている。オフセットは、前壁３６の上部自由縁と箱部分３２の側壁３８の間のオフセットに対応する。
容器３０が閉じている時に、蓋部分３４の壁の自由縁が当接線に沿って箱部分３２の対応する壁の自由縁と当接する。閉じた位置では、蓋部分３４の壁は、その結果、箱部分３２の対応する壁の延長部を形成して容器３０の壁を形成する。
【００２６】
図２及び２ａに示すように、ポイントＡとポイントＢの間の当接線は、２つの接続された直線部分で構成されている。上に定めたように、ポイントＡは、ヒンジ線が容器の側壁と交わる位置にあり、ポイントＢは、箱部分３２の前壁３６の上縁が側壁と交わる位置にある。第１の部分４２は、側壁の後縁に対して約６０度の角度でポイントＡから容器の側壁に沿って前縁まで延びている。この角度は、角度αに対応する。第２の部分４４は、第１の部分４２の縁部から下向きに容器の側壁の前縁に沿ってポイントＢまで延びている。容器１０内の角度θが約４５度である一方、角度φは、約６０度である。従って、角度φは、角度αと実質的に同じである。ポイントＡとポイントＢの間の当接線は、図２ａに太線で示している。
箱部分３２の前壁３６の長さに対する蓋部分３４の前壁３６ａの長さの比率は、ほぼ４０：６０である。蓋部分３４の前壁３６ａは、容器３０の全長に対して、典型的なヒンジ式蓋シガレットパックの蓋部分の前壁よりも長い。
【００２７】
箱部分３２及び蓋部分３４は、単一の厚紙ブランク材で一緒に形成される。箱部分３２及び蓋部分３４の対向する側壁の各々は、内側パネル及び内側パネルに付加された外側パネルで形成される。各側壁の内側パネルは、対応する外側パネルとサイズ及び形状が実質的に同じである。図１に見ることができるように、パネルは、互いに直接重なり、それらの自由縁は、内側壁がかろうじて見えるように実質的に整列している。
【００２８】
内側厚紙フレーム２０が、箱部分３２にその内側壁に対して装着される。内側フレームは、別々の厚紙ブランク材から箱部分３２と蓋部分３４に形成され、前壁、左側壁、及び右側壁を有する。前壁は、箱内の物品がより簡単に取り出せるように上縁に切り欠きを含む。内側フレーム２０の壁は、箱部分の前壁３６及び側壁３８の上縁の上方へ容器３０が閉じている時に蓋部分３４によって覆われた空間内に延びている。内側フレーム２０と蓋部分３４の内側壁との間の摩擦係合は、蓋部分３４をヒンジ線の回りにピボット回転させることによって容器を開くために正の力が加えられるまで蓋部分３４が閉じた位置のままに留まることを保証する。摩擦係合は、蓋部分３４の内側壁に係合する保持手段を内側フレーム２０に提供することによって補強することができる。
【００２９】
図２に示すヒンジ式蓋の容器５０は、図１に示して上述したものと同じ構成のものである。しかし、図１に示す容器３０とは異なり、ポイントＡとポイントＢの間に延びる当接線は、以下に説明するように、Ｚ字形状の３つの直線部分を含む。更に、蓋部分５４及び箱部分５２の両方の側壁の内側及び外側パネルは、互いに長さが異なっている。
図２ａに示すように、ポイントＡとポイントＢの間の当接線は、３つの接続された直線部分から成る。第１の部分７２は、ポイントＡの僅かな距離だけ下のポイントから容器の側壁に沿ってその前縁まで側壁の後縁に対して約６０度の角度で延びている。この角度は、角度αに対応する。第２の部分７４は、第１の部分７２の縁部から容器の側壁の前縁に沿って下向きにポイントＢまで延びている。第３の部分７６は、第１の部分７２の対向する縁部から容器の側壁の後縁に沿って上向きにポイントＡまで延びている。３つの直線部分は、それによってＺ字形状の当接線を形成する。容器３０内の角度θが４５度よりも小さいのに対して、角度φは、約６０度である。角度φは、従って、実質的に角度αと同じである。ポイントＡとポイントＢの間の当接線は、図２ａに太線で示されている。
【００３０】
図２に見ることができるように、箱部分５２の側壁５８の内側パネル６０は、内側パネル６０及び外側パネル６２の上部自由縁が互いにオフセットされるようにその外側パネル６２の上方に延びている。内側パネル６０の上部自由縁は、外側パネル６２の上部自由縁と平行であり、容器の側壁の後縁でヒンジ線と交わる。外側パネル６２の上方に延びる内側パネル６０の部分は、外側パネル６２の上部自由縁とヒンジ線との間で箱部分の後壁の部分を強化する。
【００３１】
反対に、蓋部分５４の側壁５８ａの外側パネルは、内側パネル及び外側パネルの下部自由縁が互いからオフセットされるようにその内側パネルの下方に延びている。内側パネルの下部自由縁は、図２に点線によって表示されている。蓋部分５４のオフセットは、箱部分５２のオフセットに対応し、従って、容器が閉じている時に、蓋部分の各側壁５８ａのパネルの下縁は、箱部分５２の側壁５８の対応するパネル６０、６２の上縁に当接する。
【符号の説明】
【００３２】
３０  喫煙物品のための容器
３２  箱部分
３４  蓋部分
３６  箱部分の前壁
３８ａ  蓋部分の側壁
Ａ  第１のポイント
Ｂ  第２のポイント
【図１】
2014198607.tif 000003
【図１ａ】
2014198607.tif 000004
【図２】
2014198607.tif 000005
【図２ａ】
2014198607.tif 000006
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
前壁、後壁、及びそれらの間に延びる対向する側壁を有する容器（３０）（５０）であって、
箱部分（３２）（５２）と、
容器（３０）（５０）の後壁にわたって延びるヒンジ線に沿って前記箱部分（３２）（５２）にヒンジ止めされた蓋部分（３４）（５４）と、
を含み、
容器の各側壁において、前記蓋部分（３４）（５４）の前記側壁（３８ａ）（５８ａ）の前縁とその下縁の間の角度φが、該側壁の後縁と、前記ヒンジ線が該側壁と交わる第１のポイント（Ａ）及び前記箱部分（３２）（５２）の前壁（３６）（５６）の上縁が該側壁と交わるポイント（Ｂ）の間に延びる直線との間に形成される角度θよりも大きく、
容器（３０）（５０）が閉じている時に、前記蓋部分（３４）（５４）の自由縁は、前記第１のポイントＡ及び前記第２のポイントＢの間に延びる当接線が、前記側壁の前記前縁及び前記対向する後縁の間に延びる第１の直線部分（４２）（７２）と、前記第２のポイントＢから該第１の直線部分（４２）（７２）が容器（３０）（５０）の前壁と交わるポイントまで容器（３０）（５０）の該側壁の該前縁に沿って延びる第２の直線部分（４４）（７４）とを含むように、前記箱部分（３２）（５２）の自由縁に当接する、
ことを特徴とする容器（３０）（５０）。
【請求項２】
前記角度φは、前記角度θよりも少なくとも１０度大きいことを特徴とする請求項１に記載の容器（３０）（５０）。
【請求項３】
前記角度θは、３５度と６０度の間であることを特徴とする請求項１又は請求項２に記載の容器（３０）（５０）。
【請求項４】
前記当接線は、容器の前記側壁の前記後縁に沿って前記第１のポイントＡから前記第１の直線部分（７２）が容器（５０）の前記後壁に交わるポイントまで延びる第３の直線部分（７６）を更に含むことを特徴とする請求項１に記載の容器（５０）。
【請求項５】
前記箱部分（３２）（５２）の前記前壁（３６）（５６）の長さに対する前記蓋部分（３４）（５４）の前記前壁（３６ａ）（５６ａ）の長さの比が、３５：６５よりも大きいことを特徴とする請求項１から請求項４のいずれか１項に記載の容器（３０）（５０）。
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
前壁、後壁、及びそれらの間に延びる対向する側壁を有する容器（３０）（５０）であって、
上部縁を有する前壁（３６）（５６）、当該前壁の上方に延びている側壁（３８）（５８）、後壁、底壁を有する箱部分（３２）（５２）と、
前壁（３６ａ）（５６ａ）、それぞれが前縁、後縁、下縁を有する側壁（３８ａ）（５８ａ）、後壁、及び上壁を有する蓋部分（３４）（５４）であって、容器（３０）（５０）の後壁にわたって延びるヒンジ線に沿って前記箱部分（３２）（５２）にヒンジ止めされた蓋部分（３４）（５４）と、
を含み、
前記容器（３０）（５０）が閉じているとき、前記蓋部分（３４）（５４）の自由縁が、当接線に沿って箱部分（３２）（５２）の壁の自由縁と当接し、これにより、前記容器（３０）（５０）の壁が形成されるよう、前記蓋部分（３４）（５４）の壁（３６ａ）（５６ａ）（３８ａ）（５８ａ）が、箱部分（３２）（５２）の対応する壁（３６）（５６）（３８）（５８）の延長部を形成し、
容器の各側壁において、前記蓋部分（３４）（５４）の前記側壁（３８ａ）（５８ａ）の前縁と前記蓋部分（３４）（５４）の前記側壁（３８ａ）（５８ａ）の下縁との間の角度φが、該側壁の後縁と、前記ヒンジ線が該側壁と交わる第１のポイント（Ａ）及び前記箱部分（３２）（５２）の前記前壁（３６）（５６）の上縁が該側壁と交わるポイント（Ｂ）の間に延びる直線との間に形成される角度θよりも大きく、
前記第１のポイント（Ａ）及び第２のポイント（Ｂ）の間に延びる当接線は、前記容器の前記側壁の前記前縁と前記容器の前記側壁の前記対向する後縁との間に延びる第１の直線部分（４２）（７２）と、前記第２のポイント（Ｂ）から該第１の直線部分（４２）（７２）が容器（３０）（５０）の前壁と交わるポイントまで容器（３０）（５０）の該側壁の該前縁に沿って延びる第２の直線部分（４４）（７４）とを含み、
前記蓋部分（３４）（５４）の前記前壁（３６ａ）（５６ａ）の下縁と前記箱部分（３４）（５４）の前記前壁（３６ａ）（５６ａ）の上縁との間の当接線は、直線であり、実質的には水平線であり、前記前壁（３６ａ）（５６ａ）の前記下縁が前記容器の各側壁で前記側壁（３８ａ）（５８ａ）の前記下縁からオフセットされるように、前記蓋部分（３４）（５４）の前記前壁（３６ａ）（５６ａ）は、前記蓋部分（３４）（５４）の前記側壁（３８ａ）（５８ａ）を超えて延びている
ことを特徴とする容器（３０）（５０）。
【請求項２】
前記角度θは、３５度と６０度の間であることを特徴とする請求項１に記載の容器（３０）（５０）。
【請求項３】
前記当接線は、容器の前記側壁の前記後縁に沿って前記第１のポイント（Ａ）から前記第１の直線部分（７２）が容器（５０）の前記後壁に交わるポイントまで延びる第３の直線部分（７６）を更に含むことを特徴とする請求項１に記載の容器（５０）。
【請求項４】
前記箱部分（３２）（５２）の前記前壁（３６）（５６）の長さに対する前記蓋部分（３４）（５４）の前記前壁（３６ａ）（５６ａ）の長さの比が、３５：６５よりも大きいことを特徴とする請求項１から請求項３のいずれか１項に記載の容器（３０）（５０）。
【請求項５】
容器の各側壁が、内側壁及び外側壁で形成され、
前記容器（５０）が閉じているとき、前記蓋の内側壁の自由縁が前記箱部分の内側壁の自由縁と当接し、さらに、前記蓋部分の外側壁の自由縁が前記箱部分の外側壁の自由縁と当接し、
前記第１のポイント（Ａ）及び前記第２のポイント（Ｂ）の間で前記内側壁に沿って延びる当接線が、前記外側壁に沿って延びる当接線とは異なっている、
ことを特徴とする請求項１から請求項４のいずれか１項に記載の容器（５０）。